(57)【特許請求の範囲】
【請求項１】
四角枠状に組まれた金属製パイプ（２）で構成される上部浮力体フロート（１）と、該上部浮力体フロート（１）と適度な距離を置いて下方に配された四角枠状の金属製パイプ（２）と、該上部浮力体フロート（１）と該金属製パイプ（２）とを連結するワイヤー（５）と、該上部浮力体フロート（１）に設置されて該ワイヤー（５）を巻き上げて該金属製パイプ（２）を上下方向に往復移動させるためのウィンチ（３）と、該上部浮力体フロート（１）から下方に伸びて四側壁面を形成する布（４）と、該布（４）の最下端部の全周に亘って装着された鋼製チェーン（６）とを備え、上下に開放部を有する四角筒状の浚渫汚濁防止枠であって、
前記布（４）の最下端部は、前記金属製パイプ（２）よりも下方位置にあり、その最下端部に装着された前記鋼製チェーン（６）が水底の地形に沿うことで、該布（４）の最下端部を水底の地形に沿わせることができるようになっており、
前記布（４）は、前記上部浮力体フロート（１）と前記金属製パイプ（２）とを連結する前記ワイヤー（５）に対して数箇所で緊結されており、
前記上部浮力体フロート（１）および金属製パイプ（２）は、フランジ継手（９）を介して複数本のパイプを四角枠状に連結してなるものであり、
前記布（４）の四周辺の最下端部に装着された鋼製チェーン（６）のうち、浚渫作業船台寄りの一辺に装着された鋼製チェーン（６）の両端部、および少なくとも浚渫作業船寄りの一辺を構成する金属製パイプ（２）とが、該浚渫作業船とワイヤー（８）で連結されていることを特徴とする浚渫汚濁防止枠。
【発明の詳細な説明】
【技術分野】
【０００１】
本発明は、海や河川、湖沼、池底等を浚渫する場合に、特に粒子の細かな水底推積汚泥や土砂等の水中拡散を抑えて、浚渫作業時の枠外水中汚濁を防止することを目的として、水底地形に沿って定着される浚渫汚濁防止枠に関する。この浚渫汚濁防止枠は、上下に開放部を有する箱形を呈している。
【背景技術】
【０００２】
従来、浚渫時の水中汚濁拡散防止設備としては、ある一定範囲にシルトフェンスを設置する方法と箱形上下部開放形筒状体枠を設置するなどがある。これらはそれぞれ必要とされる所で使用されている。
【発明の開示】
【発明が解決しようとする課題】
【０００３】
しかし、上記の従来の浚渫時の水中汚濁拡散防止設備には、それぞれの方法について、次の通りの解決を要する多くの問題点がある。
【０００４】
（１）ある一定範囲にシルトフェンスを設置する方法は、設備が大がかりとなり、設備、撤去、移設に時間を要するばかりか経済的にも高価である。
【０００５】
（２）箱形上下部開放形筒状体枠を設置する方法は、箱形筒状体枠を構成する４面は上下に往復移動を可能としているが、４面ともの上下方向距離が一定なために、水底地形に沿った定着が困難となり、水底地形に不陸が多い場合には、浚渫作業時に箱形筒状体枠下部より微粒子状汚泥や土砂等を枠外の水中に拡散させる問題を生じることとなる。
【０００６】
（３）これら、一定範囲にシルトフェンスを設置する方法と箱形上下部開放形筒状体枠を設置する方法は、浚渫作業の堀削がフェンスや枠に近づいた場合は、フェンス及び枠の下部ヶ所の手前で掘削作業を中止しなければ、フェンス及び枠の最下部と掘削面との隙間より汚濁を外部水中に拡散させる結果となるため、非常に作業効率が悪い。
【０００７】
（４）箱形上下部開放形筒状体枠を用いる場合は、掘削に伴い枠の設置位置を移動させる時には、枠最下部のある一辺または複数辺を既掘削ヶ所に重ねた場合には、水底未掘削面と既掘削面との間から汚濁が外部水中に拡散する事となり、ある一定広範囲の連続した浚渫作業が汚濁拡散なしでは不可能となる。
【０００８】
（５）シルトフェンスの設置、箱形上下部開放形筒状体枠において、水底での地形段差に対して対応するには、各地形に合せる側壁面を各々に調整する必要があり、かつ、各側壁面間の継ぎヶ所の密閉を要する事となり、繁雑な操作と過多な設備が必要となり、経済的に非常に高価となる。
【０００９】
本発明は、従来の技術の有するこのような問題点を解決するものであり、その目的は、箱形上下部開放形筒状体枠の側壁面最下部を簡単な往復移動を可能とする駆動装置を用いる事によって、水底地形の不陸に沿って定着させ、ある一定広範囲の連続した浚渫作業を枠外水中に作業汚濁を拡散させずに有効使用でき、しかも、低コストで浚渫汚濁防止枠を提供する事を目的としている。
【課題を解決するための手段】
【００１０】
上記目的を達成するために、本発明は、四角枠状に組まれた金属製パイプで構成される上部浮力体フロートと、該上部浮力体フロートと適度な距離を置いて下方に配された四角枠状の金属製パイプと、該上部浮力体フロートと該金属製パイプとを連結するワイヤーと、該上部浮力体フロートに設置されて該ワイヤーを巻き上げて該金属製パイプを上下方向に往復移動させるためのウィンチと、該上部浮力体フロートから下方に伸びて四側壁面を形成する布と、該布の最下端部の全周に亘って装着された鋼製チェーンとを備え、上下に開放部を有する四角筒状の浚渫汚濁防止枠である。
前記布の最下端部は、前記金属製パイプよりも下方位置にあり、その最下端部に装着された前記鋼製チェーンが水底の地形に沿うことで、該布の最下端部を水底の地形に沿わせることができるようになっている。前記布は、前記上部浮力体フロートと前記金属製パイプとを連結する前記ワイヤーに対して数箇所で緊結されている。
前記上部浮力体フロートおよび金属製パイプは、フランジ継手を介して複数本のパイプを四角枠状に連結してなる。
前記布の四周辺の最下端部に装着された鋼製チェーンのうち、浚渫作業船台寄りの一辺に装着された鋼製チェーンの両端部、および少なくとも浚渫作業船寄りの一辺を構成する金属製パイプとが、該浚渫作業船とワイヤーで連結されていることを特徴とする。
【００１１】
本発明が上記の如く優れた特徴をもつのは、上部浮力体フロートより適度な距離にある金属製パイプより下側の全周側壁面を形成する布を適度な長さと、自由な状態とし、その布がある程度の潮流や河川での掃流力に耐え得る錘となる鋼製チェーンを全周端部に装着することによって、全周側壁面を形成する布は金属製パイプより下側においては、水底地形に沿って自由に上下定着するとともに、平面形状として四角形を保つ事となる。
【００１２】
上部浮力体フロートと、このフロートより下側にある金属製パイプはワイヤーで連結され、かつ、ワイヤーと全周側壁面を形成する布とが各数ヶ所で緊結されることで、フロート及び金属製パイプの平面形状を四角形とする事によって、枠全体が箱形の上下部開放形筒状体が確保されている。
【００１３】
金属製パイプを上下方向に往復移動させるための駆動装置としては、ウィンチを用い、このウィンチは上部浮力体フロート上に配され、その設置ヶ所は、浚渫作業台船寄りの一辺上に設置され、金属製パイプの位置が確保され、他の３辺上には設置されない。
【００１４】
金属製パイプを上下方向に往復移動させるための駆動伝達としてのワイヤーと全周側壁面を形成する布とが、各数ヶ所で緊結され、かつ、全周側壁面を形成する布を金属製パイプより下側に適度な長さと、自由な状態で延長させる事によって、駆動装置としてのウィンチを設置しない３辺の側壁面最下端部も水底地形に沿って、自由に定着する事から、駆動装置の数を減ずる事ができる。
【００１５】
箱形上下部開放形筒状体の枠を構成する上部に金属製パイプを用いた浮力体フロートを配する事によって、浚渫作業台船寄りの枠を構成する金属製パイプ及びこの枠の側壁面を形成する布の最下端部に装着された鋼製チェーンの浚渫作業台船寄りの一辺の金属製パイプと鋼製チェーンの両端部と浚渫作業台船をワイヤーで連結する事によって、箱形上下部開放形筒状体枠の形状を確保した状態で、浚渫作業台船と同様の移動を可能にし、かつ、金属製パイプより下側に適度な長さと、自由な状態で、枠の全周側壁面を形成する布を延長させている事によって、この枠の全周側壁面最下端部は常に水底地形に沿って定着されるために、連続した浚渫作業を可能とする。
【００１６】
この箱形上下部開放形筒状体枠は、上部に金属製パイプを浮力体フロートとするパイプと、枠の上下方向下側中間部に錘を兼ねた金属製パイプと布及び鋼製チェーン、ワイヤーによって構成されている。したがって、上部浮力体フロートのパイプ及び金属製パイプについては、各々フランジ継手とする事によって、各小断片化ができる上、その他は折り畳む事によって、全体が非常にコンパクト化できるために、設備の輸送を容易とする。
【実施例】
【００１７】
以下に本発明の実施例を添付図面に基づき説明すると、次の通りである。
【００１８】
本発明浚渫汚濁防止枠は、箱形上下部開放形筒状体の形状とするが、その構成は図１〜６に示される上部浮力体フロート１、浮力体フロート１より適度な距離とする金属製パイプ（以下、金属製パイプ）２、全周側壁面を形成する布４、全周側壁面最下端部に装着される鋼製チェーン６、上部浮力体フロート１より下側に適度な距離とする金属製パイプ２を連結するワイヤー５、ワイヤー５と布４を数ヶ所で緊結する緊結クリップ７によって箱形上下部開放形筒状体が確保される。
【００１９】
この浚渫汚濁防止枠は、図１〜３、図５に示される通り、上部浮力体フロート１上にウィンチ３が設置され、ウィンチ３よりワイヤー５によって金属製パイプ２とが連結され、かつ、このワイヤー５と全周側壁面を形成する布４が緊結クリップ７によって数ヶ所で緊結されており、ウィンチ３を駆動装置として金属製パイプ２を上下方向に往復移動させる事によって、浚渫汚濁防止枠を必要とする水深の調整が可能である。
【００２０】
図２に全周側壁面の詳細が示されている。金属製パイプ２より下側にも側壁面を形成する布４が延長されているが、金属製パイプ２より下側の布４はワイヤー５とは緊結されておらず、布４の最下端部には潮流や河川での掃流力に耐え得る錘となる鋼製チェーン６が全周に装着されている事によって、金属製パイプ２より下側でも箱形上下部開放形筒状体が確保される。
【００２１】
この箱形上下部開放形筒状体枠の上下方向に対して伸縮させる事によって、水深調節を計る駆動装置としてのウィンチ３は、図１〜６に概略的に示す通り、四角形を形成する上部浮力体フロート１の一辺上に設置され、全ての作動が行われる。その駆動伝達は、ワイヤー５と滑車を通して伝達される。
【００２２】
図７〜９に、この浚渫汚濁防止枠を用いて浚渫作業を実施する場合の枠としての機能を説明する。但し、図７〜９には上部浮力体フロート１及びウィンチ３は省略されている。
【００２３】
ウィンチ３の操作により金属製パイプ２を所定の水深まで下げ、停止させるが、枠の側壁面を形成する布４は金属製パイプ２により下部にも適切な余裕を持たせて延長されており、かつ、布４の下端部には錘となる鋼製チェーン６が装着されている。図７に概略的に示す通り、布４の下端部に鋼製チェーン６が装着される事から、水底に枠が定着する。
【００２４】
金属製パイプ２を上下に往復移動させる駆動伝達機能を果すワイヤー５と布４は緊結クリップ７により数ヶ所で緊結されているので、箱形筒状体の形状が確保されている上、金属製パイプ２より下側についても、概ね箱形筒状体の形状が確保される。
【００２５】
水底地形に不陸がある場合、図９に概略的に示す通り、金属製パイプ２より下部にも適切な余裕を持たせた布４が延長され、布４の下端部全体に錘となる鋼製チェーン６が装着される事から、水底地形に不陸がある場合も、枠は地形に沿って定着する。
【００２６】
浚渫掘削作業時においても、図７〜８に概略的に示す通り、布４に装着されている鋼製チェーン６は水底地盤の１０の表面に定着されており、水底地盤１０の一部、浚渫掘削土砂１１を掘削除去すると、除去に伴い錘となる鋼製チェーン６が掘削除去表面に定着されるとともに、布４が鋼製チェーン６に引きづられ、掘削時の汚濁を枠外に拡散しない。
【００２７】
この浚渫汚濁防止枠は、図２に示す通り、浚渫作業台船にワイヤー８で連結される。浚渫作業台船寄りの金属製パイプ２及び対辺の金属製パイプ２以外の金属製パイプ２の２辺の浚渫作業台船寄りと、この２辺の側壁面最下端部鋼製チェーン６の浚渫作業台船寄りの計４点から浚渫作業台船両玄にワイヤー８で連結される結果、上部浮力体フロート１は、各４辺はフランジ継手９によって鋼成緊結され、上部浮力体フロート１と金属製パイプ２間の全周側壁面を形成する布４は、緊張したワイヤー５と適切な数ヶ所が緊結クリップ７で緊結されており、金属製パイプ２より下側に延長された布４は、錘となる鋼製チェーン６よって下側に引っぱられる状態となる事から、前記の通り、４点を浚渫作業台船両玄にワイヤー８で連結する事によって、この汚濁防止枠は箱形上下部開放形筒状体枠の形状を確保し、かつ、浚渫作業台船と同様の作業移動を可能とする。よって、枠全体の移動においても連続作業が実施できる。
【００２８】
この汚濁防止枠は、基本的には金属製パイプ２を浮力体とする上部浮力体フロート１と金属製パイプ２、駆動装置としてのウィンチ３、枠の全周側壁面を形成する布４、ワイヤー５、鋼製チェーン６によって構成されているため、図１〜６に概略的に示すフランジ継手９により上部浮力体フロート１及び金属製パイプ２を継ぐ事によって、平面四角形を形成する結果、輸送時には、このフランジ継手９のヶ所で切り離し、各小断片化すると、その他の構成機資材についでは、折り畳む等によって、全体が非常にコンパクト化する事ができる。
【００２９】
本発明は、以上説明したように、浚渫汚濁防止枠として次のような効果をそなえている。
【００３０】
水底地形に不陸がある場合や汚濁防止枠側壁面ヶ所の浚渫掘削作業による水底地盤の除去にも、この浚渫汚濁防止枠側壁面は、その時々の地形に沿って有効に定着し、水底未掘削面と既掘削面との間からの水中汚濁拡散などに関する問題点を一掃できる。
【００３１】
上部浮力体フロートより適度な距離とする下側に錘となる金属製パイプを配置し、この金属製パイプより下部にも全周側壁面を形成する布が適度な長さと、自由な状態として延長され、錘となる鋼製チェーンを全周側壁面最下端部に装着される事によって、水底での地形段差に対応でき、ある一定広範囲の連続した浚渫作業を繁雑な操作と過多な設備を必要とせずに、水中への汚濁拡散なしで可能となることから、作業効率がよい。
【００３２】
上部浮力体フロートと、このフロートの下側に錘を兼ねた金属製パイプが配置されており、この金属製パイプと上部浮力体フロートは駆動装置としてのウィンチを介して、ワイヤーで連結されているため、金属製パイプを上下移動させる事で、この浚渫汚濁防止枠の水深調整が可能となる。
【図面の簡単な説明】
【００３３】
【図１】本発明の浚渫汚濁防止枠実施の１例を概略的に示す平面図である。
【図２】同側面図である。
【図３】浚渫汚濁防止枠実施の１例を示す上部浮力体フロート部の平面図である。
【図４】上部浮力体フロートより適度な距離とする下側に錘を兼ねた金属製パイプの平面図である。
【図５】駆動装置が配置された上部浮力体フロートの側面図である。
【図６】駆動装置が配置されない上部浮力体フロートの側面図である。
【図７】本発明の浚渫汚濁防止枠による水底地形に沿った定着を説明するための断面図１である。
【図８】同断面図２である。
【図９】同側面図である。
【符号の説明】
【００３４】
１  上部浮力体フロート
２  浮力体フロートより適度な距離とする金属製パイプ
３  ウィンチ
４  布
５  ワイヤー
６  鋼製チェーン
７  緊結クリップ
８  ワイヤー
９  フランジ継手
１０  水底地盤
１１  浚渫掘削土砂
【図１】
0004606769.tif 000002
【図２】
0004606769.tif 000003
【図３】
0004606769.tif 000004
【図４】
0004606769.tif 000005
【図５】
0004606769.tif 000006
【図６】
0004606769.tif 000007
【図７】
0004606769.tif 000008
【図８】
0004606769.tif 000009
【図９】
0004606769.tif 000010